(57)【要約】【課題】基板に実装する際のはんだ付け工数を減らして生産性の向上を図り、基板における実装占有面積を小さくでき、蛍光灯の交換が容易な蛍光灯用コネクタを提供する。【解決手段】基板に実装されるハウジング４０と、ハウジング４０に軸支され、バックライトとしての蛍光灯を保持又は解放するアクチュエータ５０と、ハウジング４０に取り付けられ、蛍光灯の芯線Ｋｒと接触する接触部３２及び基板にはんだ付けされるリード部３１を有する端子３０とを備えた蛍光灯用コネクタ２０であって、ハウジング４０の基板対向部（底面４０ｃ）に収容部７０を設け、収容部７０に、基板にはんだ付けされるリード部６１を有するコンデンサ６０を収容し、コンデンサ６０のリード部６１と端子３０のリード部３１とを略面一となるように形成した。【選択図】図６
2010129205.tif 000002
【特許請求の範囲】
【請求項１】
基板に実装されるハウジングと、
該ハウジングに軸支され、バックライトとしての蛍光灯を保持又は解放するアクチュエータと、
上記ハウジングに取り付けられ、上記蛍光灯の芯線と接触する接触部及び上記基板にはんだ付けされるリード部を有する端子と
を備えた蛍光灯用コネクタであって、
上記ハウジングの基板対向部に収容部を設け、
該収容部に、上記基板にはんだ付けされるリード部を有するコンデンサを収容し、
該コンデンサのリード部と上記端子のリード部とを略面一となるように形成したことを特徴とする蛍光灯用コネクタ。
【請求項２】
上記コンデンサのリード部が、コンデンサ本体の側部から側方に延出された水平部と、該水平部から上記基板に向けて延出された垂下部と、該垂下部から側方に延出されて実質的に上記基板にはんだ付けされる実装部とを有し、
上記コンデンサを上記収容部に保持する保持具を上記ハウジングの基板対向部に取り付け、該保持具が、上記コンデンサ本体の側部と上記リード部の垂下部との間に配置されて上記水平部に当接する基部と、該基部に設けられ上記ハウジングの基板対向部に設けられた被係合部に係合する係合部とを有する
請求項１に記載の蛍光灯用コネクタ。
【請求項３】
上記コンデンサのリード部の水平部が上記保持具の基部に当接した状態にて、
上記リード部の水平部と上記ハウジングとの間に隙間Ｚ１が形成され、上記コンデンサ本体と上記収容部との間に隙間Ｚ２が形成された
請求項２に記載の蛍光灯用コネクタ。
【請求項４】
上記隙間Ｚ１よりも上記隙間Ｚ２の方が狭い請求項３に記載の蛍光灯用コネクタ。
【発明の詳細な説明】
【技術分野】
【０００１】
本発明は、液晶ディスプレイのバックライトとして用いられる蛍光灯が取り付けられる蛍光灯用コネクタに係り、特に、コンデンサを内蔵するようにした蛍光灯用コネクタに関する。
【背景技術】
【０００２】
例えば、液晶テレビのディスプレイの背面にあってそこを照射するバックライトとして、冷陰極蛍光灯（蛍光灯）が用いられるケースが多い。
【０００３】
この蛍光灯は、例えば２本並列に配置され、各蛍光灯には夫々バラストコンデンサ（コンデンサ）が直近に接続され、各コンデンサには共通のインバータトランスが接続され、各蛍光灯同士の間には静電遮蔽部材が配置されている（特許文献１）。この構成により、一方の蛍光灯が先に点灯したときに、他方の蛍光灯が始動電圧の低下に起因する未点灯となる事態が回避され、両蛍光灯が安定して点灯される。
【０００４】
【特許文献１】特開平１０−１７７１７０号公報
【発明の開示】
【発明が解決しようとする課題】
【０００５】
ところで、上述した従来のシステムは、インバータトランスが搭載されたインバータ電源基板（基板）に、蛍光灯の数に応じたコンデンサを実装し、そのコンデンサに蛍光灯の引出線の一方を接続し、蛍光灯の引出線の他方を基板に接地して、構成されている。
【０００６】
従って、コンデンサの基板への実装作業（はんだ付け作業）は蛍光灯の数だけ行う必要があり、各蛍光灯の引出線とコンデンサとの接続作業（はんだ付け作業）も蛍光灯の数だけ行う必要がある。このため、生産性が良いとはいえなかった。
【０００７】
また、基板には、コンデンサを実装するためのスペースと、蛍光灯の引出線を接続するためのスペースとが必要となるため、それらスペースを加算した実装占有面積が大きくなり、基板の大型化を招いてしまう。これは、液晶ディスプレイの大型化に繋がる。
【０００８】
また、検査工程等で蛍光灯の不点灯が発見されたような場合、その原因として蛍光灯の不良が考えられるところ、それを交換する際、蛍光灯の一方の引出線とコンデンサとの接続を解除し、蛍光灯の他方の引出線の基板への接地を解除する必要があるが、これは極めて煩雑な作業であるため、実質実施し得なかった。
【０００９】
以上の事情を考慮して創案された本発明の目的は、基板に実装する際のはんだ付け工数を減らして生産性の向上を図り、基板における実装占有面積を小さくでき、蛍光灯の交換が容易な蛍光灯用コネクタを提供することにある。
【課題を解決するための手段】
【００１０】
上記目的を達成するために請求項１に係る発明は、基板に実装されるハウジングと、該ハウジングに軸支され、バックライトとしての蛍光灯を保持又は解放するアクチュエータと、上記ハウジングに取り付けられ、上記蛍光灯の芯線と接触する接触部及び上記基板にはんだ付けされるリード部を有する端子とを備えた蛍光灯用コネクタであって、上記ハウジングの基板対向部に収容部を設け、該収容部に、上記基板にはんだ付けされるリード部を有するコンデンサを収容し、該コンデンサのリード部と上記端子のリード部とを略面一となるように形成したものである。
【００１１】
請求項２に係る発明は、上記コンデンサのリード部が、コンデンサ本体の側部から側方に延出された水平部と、該水平部から上記基板に向けて延出された垂下部と、該垂下部から側方に延出されて実質的に上記基板にはんだ付けされる実装部とを有し、上記コンデンサを上記収容部に保持する保持具を上記ハウジングの基板対向部に取り付け、該保持具が、上記コンデンサ本体の側部と上記リード部の垂下部との間に配置されて上記水平部に当接する基部と、該基部に設けられ上記ハウジングの基板対向部に設けられた被係合部に係合する係合部とを有する請求項１に記載の蛍光灯用コネクタである。
【００１２】
請求項３に係る発明は、上記コンデンサのリード部の水平部が上記保持具の基部に当接した状態にて、上記リード部の水平部と上記ハウジングとの間に隙間Ｚ１が形成され、上記コンデンサ本体と上記収容部との間に隙間Ｚ２が形成された請求項２に記載の蛍光灯用コネクタである。
【００１３】
請求項４に係る発明は、上記隙間Ｚ１よりも上記隙間Ｚ２の方が狭い請求項３に記載の蛍光灯用コネクタである。
【発明の効果】
【００１４】
本発明に係る蛍光灯用コネクタによれば、基板に実装する際に端子のリード部とコンデンサのリード部とを同時にはんだ付けできるので、はんだ付け工数が減って液晶ディスプレイ等の製品の生産性が向上する。また、基板における実装占有面積を小さくでき、蛍光灯の交換が容易となる。
【発明を実施するための最良の形態】
【００１５】
以下、本発明の好適実施形態を添付図面に基づいて説明する。
【００１６】
図１は本実施形態に係る蛍光灯用コネクタ（以下、コネクタ）を、蛍光灯を保持する前のスタンバイ状態とした斜視図、図２は上記コネクタを、蛍光灯を保持する保持状態とした斜視図、図３は上記コネクタの分解斜視図である。
【００１７】
コネクタ２０は、液晶ディスプレイの背面に配置された図示しない基板に、間隔を隔てて一対、実装される。それらコネクタ２０の間には、バックライト用の蛍光灯が架け渡され、蛍光灯の両端の芯線Ｋｒ（図７参照）が、各々、コネクタ２０の端子３０に圧接、導通される。図１〜図３にて、２０はコネクタ、３０はコネクタ２０の端子、４０はコネクタ２０のハウジング、５０はハウジング４０にシーソーの如く揺動可能に取り付けられたアクチュエータ、６０はコネクタ２０に内蔵されたコンデンサである。
【００１８】
ハウジング４０は、略直方体状に形成されたハウジング本体４０ａと、ハウジング本体４０ａの前部（蛍光灯が位置付けされる側を便宜的に前と呼ぶ）に設けられた前壁４１と、ハウジング本体４０ａの両側部に夫々設けられた横壁４２と、ハウジング本体４０ａの後部に設けられた後壁４３とを有する。
【００１９】
前壁４１の中央には、その上端から中程にかけて、蛍光灯の芯線Ｋｒが挿通されるスリット４４が形成されている。横壁４２は、前後方向に夫々間隔が隔てられた、前部横壁４２ａ、中部横壁４２ｂ、後部横壁４２ｃから構成され、中部横壁４２ｂの内面には、アクチュエータ５０の支承部５１を回動可能に支承する軸受４６が凹設され、後部横壁４２ｃの内面には、アクチュエータ５０の被ロック部５５が係脱されるロック部４９が凸設されている。
【００２０】
ハウジング本体４０ａの上面の中央には、前壁４１、横壁４２、後壁４３から夫々間隔を隔てて、中央ブロック４０ｂが形成されている。中央ブロック４０ｂの上面には、蛍光灯の芯線Ｋｒが挿通される溝状の挿通部４８が、スリット４４と一直線上に並べて形成されている。中央ブロック４０ｂと前壁４１との間には、端子３０の収容室４７が形成され、中央ブロック４０ｂと横壁４２（前部横壁４２ａ、中部横壁４２ｂ、後部横壁４２ｃ）との間には、アクチュエータ５０の脚部５３が挿入される間隔Ｘが形成されている。また、後部横壁４２ｃと後壁４３との間には、アクチュエータ５０の被ロック部５５が形成された垂直壁５６が挿入される間隔Ｙが形成されている。これら間隔Ｘ、Ｙは、アクチュエータ５０の収容室Ｚを構成する。
【００２１】
アクチュエータ５０は、一端に作業者により操作される操作部５２が、他端に端子３０の被押圧部３３を押圧する押圧部５４が形成されており、これら操作部５２と押圧部５４との間には、ハウジング４０に軸支される支承部５１が形成されている。アクチュエータ５０は、蛍光灯をハウジング４０にセットするときのスタンバイ状態（図１、図７参照）と、セットした蛍光灯を保持する保持状態（図２、図８参照）との間で、シーソーの如く揺動可能にハウジング４０に装着される。
【００２２】
アクチュエータ５０のスタンバイ状態は、図１、図７に示すように、押圧部５４が支承部５１よりも低く且つ操作部５２が支承部５１よりも高く、アクチュエータ５０がハウジング４０に対して前方に傾けられた状態である。アクチュエータ５０の保持状態は、図２、図８に示すように、押圧部５４及び操作部５２が支承部５１と同じ高さとなり、アクチュエータ５０がハウジング４０に対して平行な状態である。
【００２３】
アクチュエータ５０を保持状態とすると、アクチュエータ５０の垂直壁５６が上記間隔Ｙに収容され、脚部５３が上記間隔Ｘに収容され、脚部５３の間に中央ブロック４０ｂが挟まれた状態となり、アクチュエータ５０の上面がハウジング４０の上端面と面一となるか又はこの上端面よりも低くなる。これにより、コネクタ２０の低背化が達成される。上記間隔Ｘ、Ｙは、上述のように、アクチュエータ５０の収容室Ｚを構成する。
【００２４】
アクチュエータ５０について主に図３を用いて詳述する。
【００２５】
アクチュエータ５０は、既述のように、操作部５２、押圧部５４、支承部５１を有する。
【００２６】
操作部５２は、蛍光灯が位置付けされる側とは反対側に位置し、作業者によって上下に操作される。押圧部５４は、蛍光灯が位置付けされる側に位置し、アクチュエータ５０を保持状態に回動させたとき、端子３０の被押圧部３３を押圧し、アクチュエータ５０をスタンバイ状態に回動させたとき、被押圧部３３の押圧を解放する。支承部５１は、ハウジング４０の軸受４６に軸支される支持軸からなる。
【００２７】
操作部５２は、ハウジング４０の後壁４３を覆うように形成された水平板からなる。水平板の下面両端には、垂直壁５６が夫々下方に延出して形成され、垂直壁５６の外面には、ハウジング４０のロック部４９と係脱する被ロック部５５が形成されている。被ロック部５５は、略三角形状に形成された凸部からなり、アクチュエータ５０をスタンバイ状態又は保持状態に回動させるに応じて、その上縁５５ａと下縁５５ｂとがロック部４９に係脱され、アクチュエータ５０をスタンバイ状態又は保持状態に維持する。
【００２８】
操作部５２を成す水平板の左右両端には、上記垂直壁５６に接続されるような上下方向の厚みを有する一対の脚部５３が、前方に向けて延出されている。脚部５３の先端の内側部には、下部に上記押圧部５４が、上部に逃げ部５７が、夫々設けられている。押圧部５４は、脚部５３の先端に形成された厚肉部からなり、図８に示すようにアクチュエータ５０を保持状態に回動させたとき、端子３０の被押圧部３３を押圧する。逃げ部５７は、脚部５３の先端に形成された傾斜部及び薄肉部からなり、図７に示すようにアクチュエータ５０をスタンバイ状態に回動させたとき、端子３０の被押圧部３３を上記押圧から解放する。
【００２９】
端子３０について主に図３を用いて詳述する。
【００３０】
端子３０は、断面コ字状の基部３４と、基部３４の下部に設けられ、基板にはんだ付けされるリード部３１と、基部３４の左右から上方に延出された一対のアーム部３５と、アーム部３５に繋げて外方にＵターンして形成されたＵターン部３６とを有する。左右のアーム部３５の内方には、図７、図８に示すように、蛍光灯の芯線Ｋｒが配置され、アーム部３５の内側部には、芯線Ｋｒと接触する接触部３２が設けられている。
【００３１】
Ｕターン部３６は、アーム部３５に繋げて形成された頂部３７と、頂部３７から下方に向かって外側に傾斜された第１傾斜部３８と、第１傾斜部３８から下方に向かって内側に傾斜された第２傾斜部３９とを有する。第１傾斜部３８と第２傾斜部３９とを接続する山型の部分が、アクチュエータ５０の押圧部５４に押圧され得る被押圧部３３である。被押圧部３３は、図８に示すように、アクチュエータ５０を保持状態に回動したとき、押圧部５４により内方に押圧され、図７に示すように、アクチュエータ５０をスタンバイ状態に回動したとき、逃げ部５７が対向するため上記押圧から解放される。
【００３２】
詳しくは、図７に示すように、アクチュエータ５０をスタンバイ状態に回動させると、脚部５３の先端が上記収容室Ｚ内の下部に移動され、端子３０の被押圧部３３にはアクチュエータ５０の逃げ部５７が対向し、アクチュエータ５０の押圧部５４は端子３０の第２傾斜部３９と対向する状態となる。よって、被押圧部３３はアクチュエータ５０から殆ど押圧力を受けず、左右の端子３０は殆ど撓まずに略自然状態となる。自然状態の左右の端子３０の接触部３２の間隔は、上方に向けて僅かに開き、且つ蛍光灯の芯線Ｋｒの直径と同等或いは同直径よりも大きい状態となる。よって、芯線Ｋｒを左右の接触部３２の間に容易に進入させ得る。
【００３３】
図８に示すように、アクチュエータ５０を保持状態に回動させると、脚部５３の先端が上記収容室Ｚ内の上部に移動され、アクチュエータ５０の押圧部５４が端子３０の被押圧部３３に対向して被押圧部３３を内方に押圧する。すると、左右の端子３０の接触部３２の間隔が蛍光灯の芯線Ｋｒの直径よりも小さくなり、芯線Ｋｒが端子３０に挟持され得る。
【００３４】
端子３０は、ハウジング４０にその底部側から上記収容室４７内に挿入され、ハウジング４０内に形成された圧入溝９０（図４、図５参照）に圧入される。圧入された端子３０の接触部３２は、図３に示す中央ブロック４０ｂと前壁４１との間の収容室４７内にて、スリット４４及び挿通部４８の位置に合わせて位置付けられる。
【００３５】
図４は、コンデンサ６０が取り外されたコネクタ２０を底面側から見た斜視図、図５は、コンデンサ６０が取り付けられたコネクタ２０を底面側から見た斜視図、図６は、図２のVI−VI線断面図である。
【００３６】
コンデンサ６０は、背の低い直方体状に形成されたコンデンサ本体６２と、コンデンサ本体６２の両側部６３に夫々設けられたリード部６１とを有する。リード部６１は、コンデンサ本体６２の側部６３から水平方向側方に延出された水平部６４と、水平部６４から基板の方向に延出された垂下部６５と、垂下部６５から水平方向側方に延出され基板にはんだ付けされる実装部６６とを有し、断面が略クランク状に形成されている。
【００３７】
ハウジング４０の基板対向部であるハウジング本体４０ａの底面４０ｃには、コンデンサ６０を収容するため、略直方体状に窪まされた収容部７０が形成されていると共に、その収容部７０の両脇の四隅に、溝状の被係合部７１が形成されている。被係合部７１には、収容部７０に収容されたコンデンサ６０を保持する保持具８０が、係合（圧入）される。
【００３８】
保持具８０は、コンデンサ本体６２の側部６３とリード部６１の垂下部６５との間に遊嵌される細長い板体からなる基部８２と、基部８２の長手方向両端部に直角に屈曲して形成され上記被係合部７１に圧入される係合部８３とを有する。基部８２の板縁は、リード部６１の水平部６４に当接する当接部８１となる。
【００３９】
コンデンサ６０のリード部６１は、ハウジング本体４０ａの底面４０ｃ（ハウジング４０の基板対向部）に形成された切欠７２に収容されている。すなわち、ハウジング本体４０ａの底面４０ｃには、収容部７０の両側に、切欠７２が形成されており、切欠７２には、コンデンサ６０のリード部６１が位置付けられている。
【００４０】
図６に示すように、リード部６１の水平部６４の下面が保持具８０の当接部８１に当接した状態にて、切欠７２の天井７３と、リード部６１の水平部６４の上面６７との間には、隙間Ｚ１が設けられ、コンデンサ６０の頂面６８と、収容部７０の天井７４との間には、隙間Ｚ１よりも小さい隙間Ｚ２が設けられている。また、保持具８０の基部８２の内面と、コンデンサ本体６２の側部６３との間には、隙間Ｚ３が設けられ、コンデンサ本体６２の側部６３と、収容部７０の側面７５との間には、隙間Ｚ３よりも小さい隙間Ｚ４（隙間Ｚ２と同等）が設けられている。
【００４１】
これにより、コネクタ６０は、ハウジング４０にフローティング支持（上下左右前後方向に移動可能に支持）され、隙間Ｚ２の範囲で上下方向に移動可能となり、隙間Ｚ４の範囲で前後左右方向に移動可能となる。また、基板に、はんだペーストを塗布し、そこにコネクタ２０を載置して軽く押さえると、収容部７０の天井７４がコンデンサ６０の頂面６８を押圧するので、コンデンサ６０が収容部７０内にて傾くことが防止され、リード部６１の実装部６６をはんだペーストに的確に密着させることができる。よって、実装部６６の浮き上がりが防止され、確実なはんだ付け（リフローはんだ付け）が達成される。
【００４２】
また、コネクタ６０の端子３０とコンデンサ６０のリード部６１とは、図６に示すようにリード部６１の水平部６４の下面が保持具８０の当接部８１に当接した状態にて、図５に示す端子３０のリード部３１（はんだ付けされる部分）とコンデンサ６０のリード部６１のはんだ付けされる部分（実装部６６）とが略面一となるように形成されている。
【００４３】
よって、基板に、端子３０のリード部３１とコンデンサ６０のリード部６１の実装部６６の位置に対応させてはんだペーストを塗布しておき、その上にコンデンサ６０が内蔵されたコネクタ２０を載置してリフロー炉に移動することで、コネクタ２０の端子３０とコンデンサ６０のリード部６１とを同時に１工程でリフローはんだ付けできる。これにより、コネクタ２０の端子３０とコンデンサ６０のリード部６１とを別々にリフローはんだ付けする場合と比べ、はんだ付け工程数が半減し、製品（液晶ディスプレイ等）の生産性が向上する。
【００４４】
また、コンデンサ６０をコネクタ２０のハウジング４０の直下に内蔵させたので、コンデンサ６０とコネクタ２０とを別々に基板に取り付ける場合と比べて実装占有面積を大幅に狭めることができる。よって、基板の小型化、延いては基板が組み込まれる製品の小型化を推進できる。
【００４５】
さらに、コンデンサ６０のコネクタ２０への組み込みは、コネクタ２０の収容部７０にコンデンサ６０を載置し、保持具８０によって保持するようにしたので、非常に簡単である。
【００４６】
ここで、コンデンサ６０をコネクタ２０のハウジング４０に上記隙間Ｚ１〜Ｚ４よってフローティング支持しているので、コンデンサ６０が傾いてコネクタ２０のハウジング４０に取り付けられ、コンデンサ６０のリード部６１の実装部６６が基板に対して浮くようなことはない。
【００４７】
すなわち、図５の状態からコネクタ２０をひっくり返すと、上記隙間Ｚ１〜Ｚ４の範囲で移動自在なコンデンサ６０は、重力によって安定した姿勢、即ちリード部６１の水平部６４が保持具８０の当接部８１に支持された姿勢となるため、基板への実装時にコンデンサ６０のリード部６１の実装部６６が基板に対して傾くことが防止される。
【００４８】
加えて、図６に示すように、隙間Ｚ１を隙間Ｚ２より大とし、隙間Ｚ３を隙間Ｚ４より大としたので、基板にはんだペーストを塗布し、そこにコンデンサ６０が内蔵されたコネクタ２０を載置して上から軽く押さえることで、コンデンサ６０の頂面６８が収容部７０の天井７４で押圧され、コンデンサ６０のリード部６１の実装部６６がはんだペーストに的確に密着し、リフローはんだ付けを確実なものとすることができる。
【００４９】
また、コネクタ２０のハウジング４０に切欠７２を設け、そこにコンデンサ６０のリード部６１を収容するようにしたので、既存の（汎用性のある）コンデンサ６０（リード部６１付きのコンデンサ６０）をそのまま流用でき、リード部６１付きのコンデンサ６０の改変は一切要しない。
【００５０】
また、基板に実装したコネクタ２０に蛍光灯を装着するときには、図１、図７に示すように、アクチュエータ５０の操作部５２を引き上げ、アクチュエータ５０を支承部５１を中心にシーソーの如く回動させて押圧部５４を下降させた状態で、蛍光灯の芯線Ｋｒをスリット４４及び挿通部４８に位置付け、その後、アクチュエータ５０を図２、図８に示すように水平状態となるように回動させる。蛍光灯を取り外すときには、逆の操作を行う。
【００５１】
以上述べたように本実施形態に係るコネクタ２０によれば、基板に実装する際に端子３０のリード部６１とコンデンサ６０のリード部６１とを同時にはんだ付けできるので、はんだ付け工数が減って液晶ディスプレイ等の製品の生産性が向上する。また、コンデンサ６０とアクチュエータ５０とを上下に重ねた構造となっているので、基板における実装占有面積を小さくできる。また、アクチュエータ５０を回動させることで蛍光灯を着脱できるので、蛍光灯の交換が容易となる。
【００５２】
本発明は、上記実施形態に限定されるものではない。
【００５３】
上記実施形態ではアクチュエータ５０の支承部５１を凸状の軸とし、ハウジング４０の軸受４６を凹状としたが、凹凸の関係は逆でもよい。軸受４６は、ハウジング４０の中部横壁４２ｂに設けた例を示したが、前部横壁４２ａに設けても良い。
【００５４】
また、コンデンサ６０を収容する収容部７０は、コンデンサ６０が収容できれば足り、凹部形状であることを要しない。保持具８０が圧入されるようにハウジング４０に設けた被係合部７１は、保持具８０の係合部８３が圧入できれば足り、溝状でなくても良い。芯線Ｋｒが進入される挿通部４８は、芯線Ｋｒが挿通可能であれば足り、溝状であることを要しない。
【図面の簡単な説明】
【００５５】
【図１】本発明の一実施形態に係る蛍光灯用コネクタをスタンバイ状態とした斜視図である。
【図２】図１のコネクタを保持状態とした斜視図である。
【図３】図１のコネクタの分解斜視図である。
【図４】図１のコネクタをコンデンサが取り外された状態で底面側から見た斜視図である。
【図５】図１のコネクタをコンデンサが取り付けられた状態で底面側から見た斜視図である。
【図６】図２のVI−VI線断面図である。
【図７】図１のVII−VII線断面図である。
【図８】図２のVIII−VIII線断面図である。
【符号の説明】
【００５６】
２０  蛍光灯用コネクタ
３０  端子
３１  リード部
３２  接触部
４０  ハウジング
４０ｃ  基板対向部としての底面
５０  アクチュエータ
６０  コンデンサ
６１  リード部
６２  コンデンサ本体
６３  側部
６４  水平部
６５  垂下部
６６  実装部
７０  収容部
７１  被係合部
８０  保持具
８２  基部
８３  係合部
Ｚ１  隙間
Ｚ２  隙間
Ｋｒ  芯線
【図１】
2010129205.tif 000003
【図２】
2010129205.tif 000004
【図３】
2010129205.tif 000005
【図４】
2010129205.tif 000006
【図５】
2010129205.tif 000007
【図６】
2010129205.tif 000008
【図７】
2010129205.tif 000009
【図８】
2010129205.tif 000010